(57)【要約】      （修正有）【課題】ねじを使用するハイエンド向けのスタッドホルダーの構造を提供する。【解決手段】バランスばねを方向制限用表面を有するスタッド１と、スタッドホルダー２とを有し、バランスばねを保持するアセンブリ２０であって、スタッドホルダー２は、バランスばね用スタッド１を受ける第１のハウジングと、スタッド１の軸線に垂直な軸線をもつねじ５を有するスタッド１を固定する手段４と、エスケープ機構にスタッドホルダー２を固定する手段とを有する。ねじ５は、指標付けされたロック位置においてスタッド１を保持するように、スタッド１に進入し、スタッド１は、ねじ５の非接触の通路を与える第２のハウジング１２を有し、スタッドホルダー２は、第１のハウジングの両側上に、ねじ５と螺合する雌ねじ１４と、方向制限用表面に当接するように連係するねじ５の頭５１の通路を与える第３のボア１３とを有する。【選択図】図５
2015102549.tif 000002
【特許請求の範囲】
【請求項１】
バランスばね用スタッド（１）及びスタッドホルダー（２）を有する計時器用バランスばね（２１）を保持又は支持するためのアセンブリ（２０）であって、
前記スタッドホルダー（２）は、
前記バランスばね用スタッド（１）を受ける第１のハウジング（３）と、
前記バランスばね用スタッド（１）の軸線に垂直な軸線を有する少なくとも１つのねじ（５）を有する前記バランスばね用スタッド（１）を固定する手段（４）と、及び
エスケープ機構（３０）に前記スタッドホルダー（２）を固定する手段（６）とを有し、
前記バランスばね用スタッド（１）は、前記バランスばね（２１）を保持又は支持する方向を定める方向制限用表面（７）を有し、
前記ねじ（５）は、指標付けされたロック位置において前記バランスばね用スタッド（１）を保持するように、前記バランスばね用スタッド（１）に少なくとも部分的に進入し、
前記バランスばね用スタッド（１）は、前記ねじ（５）の非接触の通路を与える第２のハウジング（１２）を少なくとも有し、
前記スタッドホルダー（２）は、
前記バランスばね用スタッド（１）のための前記第１のハウジング（３）の第１の側（１３）上において、前記少なくとも１つのねじ（５）と螺合する雌ねじ（１４）と、及び
前記バランスばね用スタッド（１）のための前記第１のハウジング（３）の第２の側（１５）上において、前記ねじ（５）が有するねじ頭（５１）の通路を与える第３のボア（１３）とを有し、
前記ねじ頭（５１）は、平坦な部分（１６）によって形成される前記スタッド（１）の前記方向制限用表面（７）と連係する
ことを特徴とするアセンブリ（２０）。
【請求項２】
前記第２のハウジング（１２）は、前記スタッド（１）の高さ調整のために、前記ねじ（５）の軸方向に垂直な軸方向に長い縦長である
ことを特徴とする請求項１に記載のアセンブリ（２０）。
【請求項３】
前記第２のハウジング（１２）は、前記ねじ（５）の雄ねじの外径よりも大きな大きさであり、前記スタッド（１）の高さ調整用の遊び（Ｊ）を有し、
前記ねじ頭（５１）の直径は、前記スタッド（１）のすべての調整位置において前記第２のハウジング（１２）の周囲との当接を維持するような大きさを有する
ことを特徴とする請求項２に記載のアセンブリ（２０）。
【請求項４】
請求項１に記載のアセンブリ（２０）を少なくとも１つ有することを特徴とする計時器用エスケープ機構（３０）。
【請求項５】
請求項４に記載のエスケープ機構（３０）を少なくとも１つ有することを特徴とする計時器用ムーブメント（４０）。
【請求項６】
請求項５に記載のムーブメント（４０）を少なくとも１つ有し、腕時計である
ことを特徴とする計時器（５０）。
【発明の詳細な説明】
【技術分野】
【０００１】
本発明は、バランスばね用スタッド及びスタッドホルダーを有し、計時器用バランスばねを保持又は支持するアセンブリであって、前記スタッドホルダーは、前記バランスばね用スタッドを受ける第１のハウジングと、前記バランスばね用スタッドの軸線に垂直な軸線を有するねじを有する前記バランスばね用スタッドを固定する手段と、エスケープ機構に前記スタッドホルダーを固定する手段とを有し、前記バランスばね用スタッドは、前記バランスばねを保持又は支持する方向を定める方向制限用表面を有し、前記ねじは、指標付けされたロック位置において前記バランスばね用スタッドを保持するように、前記バランスばね用スタッドに少なくとも部分的に進入するものに関する。
【０００２】
本発明は、さらに、このようなアセンブリを少なくとも１つ有する計時器用エスケープ機構に関する。
【０００３】
本発明は、さらに、このようなエスケープ機構を少なくとも１つ有する計時器用ムーブメントに関する。
【０００４】
本発明は、さらに、このようなムーブメントを少なくとも１つ有する計時器に関する。
【０００５】
本発明は、バランスばねを有する計時器用エスケープ機構の分野に関する。
【背景技術】
【０００６】
多数の大量生産される種類のものにおいて、バランスばねの外部取り付け点を形成するバランスばね用スタッドは、スタッドホルダーにつかまれ、スタッドホルダーは、平坦で型押しされた部品である。
【０００７】
ハイエンド向けの生産においては、バランスばね用スタッドは、機械加工された部品であるスタッドホルダーにねじ込まれる。そして、止めねじがねじの足とねじ山の間ではたらく。ねじ頭はロックされない。ロックによって、頻繁な損傷を引き起こす。これは、ねじ足がバランスばね用スタッドにロックされ、オペレーターがねじを回し続ける際に経験するねじれ応力に起因する。
【０００８】
ＤＡＭＡＳＫＯ名義のドイツ実用新案ＤＥ  ２０２０１００２４２５３は、バランスコックに対する放射方向の調整を行うことができるバランスばね用スタッドを記載している。この軸方向のねじ付きスタッドは、円筒状のねじと連係し、このねじの頭は、切断された縦長の溝内を移動する。
【０００９】
ＧＬＡＳＨＵＴＴＥ  ＵＨＲＥＮＢＥＴＲＩＥＢ名義の欧州特許出願ＥＰ  ２２９０４７７Ａ１は、スタッド止めねじを固定する雌ねじを有するスタッドホルダーを記載しており、これは、スタッドの厚みの一部にわたってスタッド内の凹部と連係する。
【発明の概要】
【発明が解決しようとする課題】
【００１０】
本発明は、ねじの使用法が改善されるような変更されたバランスばね用スタッドを作ることを提案するものであり、これによって、ねじ頭とねじ山の間の弾性変形によってねじが通常のはたらきができるようになる。したがって、ハイエンド向けのスタッドホルダーの構造をねじを使用して維持しながら損傷のリスクを減らすことが課題となる。
【課題を解決するための手段】
【００１１】
このために、本発明は、バランスばね用スタッド及びスタッドホルダーを有し、計時器用バランスばねを保持又は支持するアセンブリであって、
前記スタッドホルダーは、
前記バランスばね用スタッドを受ける第１のハウジングと、
前記バランスばね用スタッドの軸に垂直な軸を有するねじを有する前記バランスばね用スタッドを固定する手段と、及び
エスケープ機構に前記スタッドホルダーを固定する手段とを有し、
前記バランスばね用スタッドは、前記バランスばねを保持又は支持する方向を定める方向制限用表面を有し、
前記ねじは、指標付けされたロック位置において前記バランスばね用スタッドを保持するように、前記バランスばね用スタッドに少なくとも部分的に進入し、
前記スタッドは、前記ねじの非接触の通路を与える第２のハウジングを少なくとも有し、
前記スタッドホルダーは、
前記スタッドのための前記第１のハウジングの第１の側上において、前記ねじと連係する雌ねじと、及び
前記スタッドのための前記第１のハウジングの第２の側上において、前記ねじが有するねじ頭の通路を与える第３のボアとを有し、
前記ねじ頭は、平坦な部分によって形成される前記スタッドの前記方向制限用表面と連係するものに関する。
【００１２】
本発明は、さらに、このようなアセンブリを少なくとも１つ有する計時器用エスケープ機構に関する。
【００１３】
本発明は、さらに、このようなエスケープ機構を少なくとも１つ有する計時器用ムーブメントに関する。
【００１４】
本発明は、さらに、この種のムーブメントを少なくとも１つ有し、腕時計である計時器に関する。
【００１５】
添付図面を参照して以下の詳細な説明を読むことで、本発明の他の特徴及び利点を思い描くことができるであろう。
【図面の簡単な説明】
【００１６】
【図１】図１は、従来のバランスばね保持アセンブリを有するエスケープ機構の概略的な部分的な平面図を示し、このバランスばね保持アセンブリは、スタッドホルダーと、スタッドホルダーのボアに収容されるスタッドと、及びスタッドホルダーの雌ねじと螺合しスダッドに支えられるねじとを有する。
【図２】図２は、図１のアセンブリにおけるねじの軸線及びスタッドの軸線を通る平面図におけるＢ−Ｂ断面図である。
【図３】図３は、図１のアセンブリの概略的な分解斜視図を示す。
【図４】図４は、本発明に係る第１の実施形態を図１と同様な形態で示す。この図において、ねじはバランスばね用スタッドのボアを通り抜けて、ねじ頭とは反対側で、スタッドホルダーの雌ねじと螺合している。
【図５】図５は、図４のアセンブリを図２と同様なＢ−Ｂ断面図を示す。
【図６】図６は、図４のアセンブリを図３と同様な形態で示す分解斜視図である。
【図７】図７は、本発明に係るアセンブリによって保持されるバランスばねを有するエスケープ機構を備えるムーブメントを有する計時器を示すブロック図である。
【発明を実施するための形態】
【００１７】
本発明は、バランスばね用スタッド１及びスタッドホルダー２を有する計時器用バランスばね２１を保持又は支持するためのアセンブリ２０に関する。
【００１８】
このスタッドホルダー２は、
−バランスばね用スタッド１を受ける第１のハウジング３と、
−少なくとも１つのねじ５を有するスタッド１を固定する手段４と、及び
−エスケープ機構３０にスタッドホルダー２を固定する手段６と
を有する。
【００１９】
バランスばね用スタッド１は、この種のバランスばね２１を保持又は支持する方向を定める少なくとも１つの方向制限用表面７を有する。
【００２０】
図１は、スタッドホルダー２のボア３に収容されるバランスばね用スタッド１と、このスタッド１の軸線と直交する軸線を有しスタッドホルダー２の雌ねじ２１に螺合しスタッド１の横方向の面に支えられるようなねじ５とを有する従来技術を示す。
【００２１】
このねじ５は、バランスばね用スタッド１に少なくとも部分的に進入して、指標付けされたロック位置にバランスばね用スタッド１を保持する。
【００２２】
スタッドホルダー２は、凹部を有することができ、これによって、ねじを緩めることによってバランスばねの平坦度を調整することが可能になる。実際に、腕時計の製造業者は、バランスばねが可能な限り平坦であるようにバランスばねを位置合わせすることを常に心がけている。スタッド上の取り付け位置が、例えば、バランススタッフ棒上の取り付け位置よりも低い場合、バランスばねは、傘の形になる傾向がある。この現象を改善するために、腕時計の製造業者は、スタッドねじを緩めて、２つの取り付け位置が同じ高さになるまでスタッドを上げ、これによって、バランスばねが再び平坦にされる。しかし、この調整は、スタッドがスタッドホルダー内で移動することができる範囲でのみ可能である。
【００２３】
本発明の実施形態において、スタッドを貫通する貫通穴によって、スタッドの運動が制約を受ける。円筒状の穴が設けられた場合では、調整が可能ではなく、穴が縦長の変形例においては、高さ方向のこのような調整が可能になる。
【００２４】
図４〜６に示すように、バランスばね用スタッド１は、前記ねじ５の非接触の通路を与える第２のハウジング１２を少なくとも有し、スタッドホルダー２は、
−バランスばね用スタッド１のための第１のハウジング３の第１の側１３において、前記ねじ５と連係する雌ねじ１４と、及び
−バランスばね用スタッド１のための第１のハウジング３の第２の側１５において、前記ねじ５が有するねじ頭５１を通すための第３のボア１３とを有し、このねじ頭５１は、平坦な部分１６によって形成されるスタッド１の方向制限用表面７と連係する。
【００２５】
バランスばね用スタッド１は、ねじ５によってスタッドホルダー２に押しつけられ、バランスばね用スタッド１の配向がねじ頭５１によって与えられる。
【００２６】
第１の変形例において、バランスばね用スタッド１の高さ調整を可能にするために、この少なくとも１つの第２のハウジング１２は、バランスばね用スタッド１の高さ調整のために、前記少なくとも１つのねじ５の軸方向と垂直な方向に縦長である。
【００２７】
第２の変形例においては、上で説明したようなスタッド１の高さ調整を可能にするために、この少なくとも１つの第２のハウジング１２は、前記少なくとも１つのねじ５の雄ねじの外径よりも大きな大きさであり、具体的には、縦長であり、バランスばね用スタッド１の高さ調整用の遊びＪを有する。ねじ頭５１の直径は、バランスばね用スタッド１のすべての調整位置において第２のハウジング１２の周囲との当接を維持するような大きさを有する。
【００２８】
好ましくは、ねじ５を１つのみ有し、スタッド１の第２のハウジング１２を１つのみ有する。
【００２９】
本発明は、さらに、このようなアセンブリ２０を少なくとも１つ有する計時器用エスケープ機構３０に関する。
【００３０】
本発明は、さらに、この種のエスケープ機構３０を少なくとも１つ有する計時器用ムーブメント４０に関する。
【００３１】
本発明は、さらに、このようなムーブメント４０を少なくとも１つ有する計時器５０に関する。具体的には、この計時器５０は、腕時計である。
【００３２】
本発明は、以下のような様々な利点を有する。すなわち、
−ねじが、ねじれではなく静止摩擦によって機能する。これによって、ねじを壊すリスクが減る。
−安定な調整が確実になり、ハイエンド向けムーブメントへの搭載が可能になる。
−高さ調整が可能になる。
−本発明に係るスタッドホルダーアセンブリによって、従来技術のスタッドホルダーを交換することが可能であり、これによって、既存のムーブメントを改善することが可能になる。
【符号の説明】
【００３３】
１    バランスばね用スタッド
２    スタッドホルダー
３    第１のハウジング
５    ねじ
７    方向制限用表面
１２  第２のハウジング
１３  第１の側
１４  雌ねじ
１５  第２の側
１６  平坦な部分
２１  バランスばね
５１  ねじ頭
【図１】
2015102549.tif 000003
【図２】
2015102549.tif 000004
【図３】
2015102549.tif 000005
【図４】
2015102549.tif 000006
【図５】
2015102549.tif 000007
【図６】
2015102549.tif 000008
【図７】
2015102549.tif 000009